(57)【特許請求の範囲】
【請求項１】
スライド面と前面とにそれぞれ開口部を有し、前記スライド面がスライドして、それぞれの前記開口部が重なり合うことにより開口するスライド式カートンにおいて、該カートンは前記スライド面と、天面と、背面と、底面と、前記前面とが、長辺方向に一列に折線を介して連設されるとともに、前記前面の左側には左面が、前記前面の右側には右面がそれぞれ連設され、少なくとも前記左面もしくは前記右面のどちらか一方に、前面と、左面もしくは右面とを介する折線と並行な折線を形成し、該折線を介して接合面が形成されることを特徴とするスライド式カートン。
【請求項２】
前記スライド面がスライドすることにより、前記前面に形成された窓から、前記スライド面に形成された絵柄が出現することを特徴とする請求項１記載のスライド式カートン。
【請求項３】
前記窓は前記前面に１又は複数個形成されることを特徴とする請求項２記載のスライド式カートン。
【請求項４】
前記スライド面および前記前面は１枚の紙からなることを特徴とする１乃至３記載のスライド式カートン。
【発明の詳細な説明】
【技術分野】
【０００１】
本発明は、開口部を有する面（スライド面）をスライドして開封するスライド式カートンに関する。
【背景技術】
【０００２】
従来、開口部を有する面（スライド面）をスライドして開封するスライド式カートンが知られている。この種のカートンは粒状の菓子類を内容物とする場合が多く、子供でも容易に扱えるように、天面を引き出すことにより開口部がスライドしつつ出現して容易に内容物の取り出しを行えるような構成となっている。
例えば、図８に示すような、振出口付きカートン５０（特許文献１）においては、直詰め方式のカートンであって、振出しの際に、所定の振出し口からのみ、振出すことが可能で横もれ等がなく、振出し片を容易に、かつ、傷むことなく何度でも引き出すことのできる振出しカートンを提供するため、折り罫を介して、側板１、前板２、側板３、後板４、貼着板５を連接し、後板４に折り罫を介して、天板６及び振出し口Ｐを具備した振出し片７を連接し、前板２の天部近傍に切り欠きＷを設け、カートンを組み立てた際の天部開放部の略全面を遮蔽する大きさの折り込みフラップＦＴを側板に設けた構成である。このような構成により、内容物の振り出しの際に、所定の振出口からのみ容易に内容物を振り出すことが可能である。
【０００３】
【特許文献１】特開平９−２４６３号公報
【発明の開示】
【発明が解決しようとする課題】
【０００４】
しかし、上記従来のような振出しカートン５０は、カートンの製造工程において、内容物充填の際、下面８を開放して充填するように形成されており、このため開放口の開放面積が小さく充填効率が低かった。また、スライド式という特徴を活かしきれていない点もあり、本発明は、充填効率が高いスライド式カートンを提供することを課題とするとともに、さらには、スライド式の特徴を活かし楽しいイメージを持てるスライド式カートンを提供することを課題とする。
【課題を解決するための手段】
【０００５】
そこで、これらの課題を解決するため、本発明の請求項１記載の発明は、スライド面と前面とにそれぞれ開口部を有するスライド式カートンであって、前記スライド面がスライドして、それぞれの開口部が重なり合うことにより開口するスライド式カートンにおいて、該カートンは前記スライド面と、天面と、背面と、底面と、前記前面とが、長辺方向に一列に折線を介して連設されるとともに、前記前面の左側には左面が、前記前面の右側には右面がそれぞれ連設され、少なくとも前記左面もしくは前記右面のどちらか一方に、前面と、左面もしくは右面とを介する折線と並行な折線を形成し、該折線を介して接合面が形成されることを特徴とするスライド式カートンである。
【０００６】
また、前記スライド面がスライドすることにより、前面に形成された１又は複数個の窓から、前記スライド面に形成された絵柄が出現することを特徴とするスライド式カートンである。
【０００７】
さらには、前記スライド面および前記前面は１枚の紙からなることを特徴とするスライド式カートンである。
【発明の効果】
【０００８】
本発明によれば、スライド面と前面とにそれぞれ開口部を有するスライド式カートンであって、前記スライド面がスライドして、それぞれの開口部が重なり合うことにより開口するスライド式カートンにおいて、該カートンは前記スライド面と、天面と、背面と、底面と、前記前面とが、長辺方向に一列に折線を介して連設されるとともに、前記前面の左側には左面が、前記前面の右側には右面がそれぞれ連設され、少なくとも前記左面もしくは前記右面のどちらか一方に、前面と、左面もしくは右面とを介する折線と並行な折線を形成し、該折線を介して接合面が形成されることを特徴とするため、内容物の充填時、長辺側を開放して内容物を充填可能であり、充填効率が高まる効果がある。
【０００９】
また、前記スライド面がスライドすることにより、前面に形成された窓から、前記スライド面に形成された絵柄が出現することを特徴とするから、スライド式の特徴を活かして絵柄を変化させることができ、楽しいイメージを有するカートンを提供することができる。
【００１０】
さらには、前記スライド面および前記前面は１枚の紙からなるため、低コストでカートンを形成することができる。
【００１１】
このように、本発明のスライド式カートンは、充填効率を高めたスライド式カートンを提供することができる。また、窓を形成することにより、スライド時の絵柄を変化させて楽しいイメージのカートンを提供することができる。
【発明を実施するための最良の形態】
【００１２】
以下、本発明の実施例について図面を参照しつつ説明する。
図１は、本発明のスライド式カートンの一例としてのカートン１（スライド式カートン）の全体斜視図である。
このカートン１は、天面１７を上方へと引き出すことにより、スライド面１０が上方向にスライドするとともに該スライド面１０の略中央に形成された開口部７が上方向へと移動し、前面に形成された開口部７'と、前記開口部７とが一致する位置において開口部７が出現し開口する。そして、カートン１を傾ける（振り出す）ことにより、前記開口部７より内容物を取り出すものである。また、閉封時においては、逆操作によりスライド面１０をカートン内へと収容することによりカートン１を閉封するものである。また、カートン開封時および閉封時において、スライド面１０のスライドに伴い窓Ｗ内の絵柄２０が変化する構成である。
【００１３】
このカートン１は、詳しくは図２の展開図に示すように、開口部７'と２つの窓Ｗとを有する前面１１と、底面１５と、背面１３と、天面１７と、スライド面１０と、が長辺方向かつ一列に連設されている。そして、前記前面１１の左右には、左面１２と、右面１４とがそれぞれ連設されている。そして、前記スライド面１０には内容物を取り出すため孔である開口部７が形成されている。また、スライド面１０には、後述する、前面１１に形成された窓Ｗから見える２組の絵柄が描かれている。このように、スライド面１０と、前面１１と、底面１５と、背面１３と、天面１７と、は縦方向（長辺方向）に１列で連設されており、後述する、内容物をカートン１内へと充填する際に、充填効率を高める効果がある。
【００１４】
前記スライド面１０の左右両側には、支持部材１９が連設されており、この支持部材１９は、スライド面１０がスライドする際に、一定の高さを保ちつつスライド面１０を前後方向に摺動させるためのガイド的役割を果たすものである。また、初期開封前に前面１１の開口部７'を塞ぐための閉塞部８が形成されている。また、前記左面１２および右面１４には閉塞面１６が連設されており、この閉塞面１６は、前記天面１７を引き出した際に上方向に生じる空隙を塞ぐものである。
【００１５】
上記各面は１枚のシートからなり、また、各面は折り線を介して接している。そして、カートン１の形成時に各面を貼り合わせるための接合面Ｐが形成されている。そして、図２展開図より、折り線に沿って各面を折り込み、接合面Ｐにて貼り合わせることにより、図３に示すような、スライド式カートン１を完成する。そして、このカートン１の天面１７を上方向に引き上げることにより、図４に示すように、開口部７を有するスライド面１０が引き出されるとともに開口部７が出現する。
【００１６】
このとき、前記スライド面１０には絵柄２０が形成されており、前面１１に形成された２つの窓Ｗから前記絵柄２０が出現するようになっている。特に、該絵柄２０は上下に異なる絵柄が描かれており、前記スライド面１０の上方向のスライド作業に伴い、閉封時と、開封時とで異なる絵柄２０が出現するようになっている。このように、スライド作業にともない絵柄２０も変化するようになっており、消費者にスライド作業に伴い変化する絵柄により、カートン１の開封時および閉封時に楽しみを与える効果がある。例えば、図５に示すように、前記絵柄２０により、開封までの距離を一目で認識させることも可能である。
【００１７】
以下に、本発明のスライド式カートン１の内容物の充填時について説明する。
通常、内容物を充填する際には、カートンの左面、右面、天面、底面の何れかの面を開放して内容物を充填することが考えられるが、通常この種のカートンは縦長形状であり、短辺である天面または底面から内容物を充填することが多かった。これは、従来のカートン５０では、上述の図８で示したような展開図からカートン５０を形成する際に、側面３には、前面２と、背面４とが短辺方向に連設しているため、内容物の充填時に側面３の長辺側を開放することができない。また、側面１は、折り込みフラップＦＴと、折込みフラップＦＢとが連設しているため、開放するとその後の挿入が困難である。このため、天面６か底面８の何れかを開放して内容物を充填することとなるが、天面６にはスライド面７がさらに連設されているため、開放するとその後の挿入が困難となるため、結果、底面８を開放して内容物を充填することとなる。そして、内容物の充填後、底面８をカートン内に挿入して閉封する。このようにして、内容物の入ったスライド式カートン５０を完成する。しかし、上述のように、底面８を開放して内容物を充填する場合、図６に示すように、開放面積Ｈが小さく、よって、充填速度が遅いという欠点があった。
【００１８】
そこで、本発明のスライド式カートン１においては、カートン１を組み立てる際、側面である左面１２または右面１４は除いて、まず、長辺方向の１列に連設された面、すなわちスライド面１０、前面１１、底面１５、天面１７、背面１３を折り線に沿って折込み、カートン１を組み立てる。その後、内容物をカートン１内へと充填する。このとき、図７に示すように、カートン１の長辺側である側面（左面１２、右面１４）が開放可能であるため、大きな開放面Ｈを有し内容物を一度にたくさんの内容物を充填可能であり、内容物の充填速度を高めることができる。
【００１９】
このように、本発明のスライド式カートンは、スライド面と前面とにそれぞれ開口部を有するスライド式カートンであって、前記スライド面がスライドしてそれぞれの開口部が重なり合うことにより開口するスライド式カートンにおいて、前記スライド面と、前記前面とが、長辺方向で一列に形成されるから、カートン１への内容物充填時、側面を開放して大きな開放面積を有する開放面より内容物の充填が可能であり、内容物の充填速度を高めることが可能である。さらには、前記スライド面がスライドすることにより、前面に形成された１又は複数個の窓から、前記スライド面に形成された絵柄が出現するから、スライド式カートンの特徴を活かし楽しいイメージを持てるスライド式カートンを提供することができる。また、本発明のスライド式カートンは１枚のシートからなるため、低コストかつ容易にカートン１を作製可能である。
【図面の簡単な説明】
【００２０】
【図１】本発明のスライド式カートンを示す全体斜視図である。
【図２】本発明のスライド式カートンの展開図である。
【図３】スライド式カートンの閉封時を示す説明図である。
【図４】スライド式カートンの開封時を示す説明図である。
【図５】本発明のスライド式カートンの別例を示す全体斜視図である。
【図６】従来のスライド式カートンの開放部を示す説明図である。
【図７】本発明のスライド式カートンの開放部を示す説明図である。
【図８】従来のスライド式カートンを示す全体斜視図（左）とその展開図（右）である。
【符号の説明】
【００２１】
１  スライド式カートン（カートン）
７  開口部
８  閉塞部
１０  スライド面
１１  前面
１２  左面
１３  背面
１４  右面
１５  底面
１６  閉塞面
１７  天面
１９  支持部材
２０絵柄
Ｐ  接合面
Ｗ  窓
Ｈ  開放面
【図１】
0004730075.tif 000002
【図２】
0004730075.tif 000003
【図３】
0004730075.tif 000004
【図４】
0004730075.tif 000005
【図５】
0004730075.tif 000006
【図６】
0004730075.tif 000007
【図７】
0004730075.tif 000008
【図８】
0004730075.tif 000009